(57)【特許請求の範囲】
【請求項１】
吐出部から吐出される水を加熱するための加熱部と、
前記加熱部内の水位に関する情報を検出するための水位検出部と、
前記加熱部を制御する制御部と、を備え、
前記制御部は、
吐出開始の指示を受信したときに前記加熱部内の水位が所定の下限水位以上の場合、前記加熱部による加熱を開始させ、
吐出開始の指示を受信したときは前記加熱部内の水位は前記下限水位未満で、吐出開始の指示を受信した後に前記加熱部内の水位が前記下限水位以上になった場合、前記加熱部による加熱を開始させないことを特徴とする温水器。
【請求項２】
吐出開始の指示を受信したときは前記加熱部内の水位は前記下限水位未満で、吐出開始の指示を受信した後に前記加熱部内の水位が前記下限水位以上になった場合において、前記加熱部内の水位が前記下限水位以上である状態が所定時間以上継続したとき、前記制御部は、前記加熱部による加熱を開始させることを特徴とする請求項１に記載の温水器。
【請求項３】
前記加熱部による加熱中に、前記加熱部内の水位が前記下限水位未満になった場合、前記制御部は前記加熱部による加熱を停止させることを特徴とする請求項１または２に記載の温水器。
【発明の詳細な説明】
【技術分野】
【０００１】
本発明は、温水器に関する。
【背景技術】
【０００２】
水栓や温水洗浄便座に用いられる瞬間加熱式の温水器が知られている。この温水器は、ヒータを有する加熱部を備え、加熱部内を通過する水をヒータにより瞬間的に加熱する。
【０００３】
瞬間加熱式の温水器に用いられるヒータは出力が大きいため、加熱部内を水が流れていない状態でヒータが作動する（すなわち空焚きする）と、ヒータが過加熱状態となり故障する。そのため、水位センサにより加熱部内の水位を検出し、加熱部内の水位が所定の水位以上になった場合にヒータを作動させる温水器が提案されている（例えば特許文献１）。
【先行技術文献】
【特許文献】
【０００４】
【特許文献１】実開昭６０−４８４３号公報
【発明の概要】
【発明が解決しようとする課題】
【０００５】
従来の温水器は、水の吐出中に加熱部内の水位が所定の水位未満から所定の水位以上になった場合も、加熱部による加熱を開始する。しかしながら、加熱部内の水位が変動するときには空気や空気が混じった水が加熱部内に流れ込んでいる可能性が高いため、上述のように吐出中に加熱部内の水位が所定の水位以上になった場合に加熱部による加熱を開始すると空焚きとなる危険性がある。
【０００６】
本発明はこうした状況に鑑みてなされたものであり、その目的は、空焚きを抑止しうる温水器を提供することにある。
【課題を解決するための手段】
【０００７】
上記課題を解決するために、本発明のある態様の温水器は、吐出部から吐出される水を加熱するための加熱部と、加熱部内の水位に関する情報を検出するための水位検出部と、加熱部を制御する制御部と、を備える。制御部は、吐出開始の指示を受信したときに加熱部内の水位が所定の下限水位以上の場合、加熱部による加熱を開始させ、吐出開始の指示を受信したときは加熱部内の水位は下限水位未満で、吐出開始の指示を受信した後に加熱部内の水位が下限水位以上になった場合、加熱部による加熱を開始させない。
【０００８】
吐出開始の指示を受信したときに下限水位未満であった水位が吐出中に下限水位以上になった場合、空気が流れ込んだことにより加熱部内の水位が上下動し、一時的に下限水位以上になった可能性がある。つまり、配管内に残っていた空気が抜けきっていない可能性がある。これに対し、上述の態様によると、吐出開始の指示を受信したときは下限水位未満であった水位が吐出開始の指示を受信した後に下限水位以上になった場合は加熱部による加熱が開始されない。これにより、空気が抜けきっていない状態での加熱部による加熱すなわち空焚きが抑止される。
【０００９】
吐出開始の指示を受信したときは加熱部内の水位は下限水位未満で、吐出開始の指示を受信した後に加熱部内の水位が下限水位以上になった場合において、加熱部内の水位が下限水位以上である状態が所定時間以上継続したとき、制御部は、加熱部による加熱を開始させてもよい。この場合、いつまでも水が温まらずに使用者が不快な思いをするのが抑止される。
【００１０】
加熱部による加熱中に、加熱部内の水位が下限水位未満になった場合、制御部は加熱部による加熱を停止させてもよい。この場合、空焚きがさらに抑止される。
【００１１】
なお、以上の構成要素の任意の組み合わせや、本発明の構成要素や表現を方法、システムなどの間で相互に置換したものもまた、本発明の態様として有効である。
【発明の効果】
【００１２】
本発明によれば、加熱部の故障を抑止しうる温水器を提供できる。
【図面の簡単な説明】
【００１３】
【図１】第１の実施の形態に係る温水器を備える水栓システムを示す斜視図である。
【図２】第１の実施の形態に係る温水器を示す模式図である。
【図３】図２の制御部の機能および構成を示すブロック図である。
【図４】水栓システムの動作を示すフローチャートである。
【図５】水栓システムの動作を示すフローチャートである。
【図６】水栓システムの動作を示すフローチャートである。
【図７】第２の実施の形態に係る温水器を示す模式図である。
【図８】水栓システムの動作を示すフローチャートである。
【発明を実施するための形態】
【００１４】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
（第１の実施の形態）
図１は、第１の実施の形態に係る温水器１０を備える水栓システム１００を示す斜視図である。水栓システム１００は、洗面所やトイレなどに設置され、手洗いなどに使用される。水栓システム１００は、温水器１０と、吐水管１２と、洗面器１４と、人体検知センサ１６と、を備える。人体検知センサ１６は、吐水管１２に取り付けられる。なお、人体検知センサ１６は、洗面器１４やその他の場所に取り付けられてもよい。人体検知センサ１６は、吐水管１２の吐水口１２ａの下方の領域に差し出される使用者の手を非接触で検知する。人体検知センサ１６は、手を検知している間、ケーブル１８を経由して温水器１０に信号を送る。
【００１６】
温水器１０は、壁に取り付けられる。温水器１０は、人体検知センサ１６が手を検知している間、吐水管１２にホース２０を介して水を供給する。温水器１０は特に、給水管（不図示）から壁に取り付けられた止水栓（不図示）を経由して供給される水を温めてから吐水管１２に供給する。吐水管１２は、温水器１０において温められた水を吐水口１２ａから吐水する。洗面器１４は、壁に取り付けられる。洗面器１４は、吐水管１２から吐水された水を受けて排水管（不図示）へ排水する。
【００１７】
図２は、温水器１０を示す模式図である。温水器１０は、入水管３０と、電磁弁３２と、水位センサ３６と、加熱部４０と、出水管４６と、制御部５０と、を備える。
【００１８】
止水栓から供給される水は、給水部３０ａと、入水管３０と、加熱部４０と、出水管４６と、吐出部４６ａと、をこの順に通って吐水管１２に供給される。したがって、これらは温水器１０内の水路５２を構成する。
【００１９】
電磁弁３２は入水管３０に設けられる。なお、電磁弁３２は、出水管４６に設けられてもよい。電磁弁３２は、制御部５０から開弁指示を受けると開弁する。また電磁弁３２は、制御部５０から閉弁指示を受けると閉弁する。電磁弁３２が開くと水路５２を水が流れ、吐水管１２に水が供給され、吐水管１２の吐水口１２ａから吐水される。電磁弁３２が閉じると水路５２の水の流れが止まり、吐水管１２に水が供給されなくなり、吐水管１２の吐水口１２ａからの吐水が止まる。つまり電磁弁３２は水路５２を開閉する。
【００２０】
水位センサ３６は、加熱部４０内の絶対的な水位あるいは加熱部４０内の所定の基準高さに対する水位などの水位に関する情報（以下、「水位情報」と呼ぶ）を検出する。
【００２１】
加熱部４０は、いわゆる瞬間式の加熱器である。加熱部４０は、その内部に電気式のヒータ４０ａを有する。加熱部４０は、制御部５０から「加熱指示」を受けるとヒータ４０ａによる加熱を開始する。入水管３０から加熱部４０内に流れ込んだ水は、加熱部４０内を流れる間にヒータ４０ａにより加熱されて所定の温度（例えば３０度）に温められ、出水管４６に流れ出る。加熱部４０は、制御部５０から「停止指示」を受けるとヒータ４０ａによる加熱を停止する。
【００２２】
制御部５０は、電磁弁３２による水路５２の開閉と、加熱部４０による加熱と、を制御する。
【００２３】
図３は、制御部５０の機能および構成を示すブロック図である。これら各ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２４】
制御部５０は、受信部７２と、水位情報取得部８０と、開閉制御部７４と、加熱制御部７６と、を含む。受信部７２は、人体検知センサ１６から信号を受け取る。水位情報取得部８０は、受信部７２が信号を受け取ると、水位センサ３６からケーブル５８を介した水位情報の取得を開始し、所定の間隔（例えば０．１秒間隔）で取得し続ける。
【００２５】
開閉制御部７４は、電磁弁３２の開閉を制御する。開閉制御部７４は、受信部７２が信号を受け取ると、ケーブル５４を介して電磁弁３２に開弁指示を送り、電磁弁３２に開弁動作を開始させる。したがって、受信部７２が受け取る信号は、吐出開始の指示であるといえる。開閉制御部７４は特に、水位情報取得部８０が水位情報の取得を開始した直後に、電磁弁３２に開弁指示を送る。また、開閉制御部７４は、受信部７２が信号を受け取らなくなると、電磁弁３２に閉弁指示を送り、電磁弁３２に閉弁動作を開始させる。なお、開閉制御部７４は、受信部７２が信号を受け取らなくなり、かつ、後述するように加熱制御部７６が加熱部４０に停止指示を送った後に、電磁弁３２に閉弁指示を送ってもよい。
【００２６】
加熱制御部７６は、加熱部４０による加熱を制御する。加熱制御部７６は、水位情報取得部８０が水位情報を取得するたびに、その水位情報に基づいて、加熱部４０内の水位が所定の水位（以下、「下限水位」と呼ぶ）以上であるか否かを判定する。ここで、下限水位とは、例えばヒータ４０ａ全体が加熱部４０内の水に浸される水位、すなわち加熱部４０が空焚きするのを抑止できる水位をいう。加熱制御部７６は特に、受信部７２が信号を受け取ったとき（すなわち水位情報取得部８０が水位情報の取得を開始したときであって電磁弁３２が開弁する前）の加熱部４０内の水位が下限水位以上である場合、ケーブル５５を介して加熱部４０に加熱指示を送り、加熱部４０による加熱を開始させる。一方、加熱制御部７６は、受信部７２が信号を受け取ったときの加熱部４０内の水位が下限水位未満である場合、加熱部４０に加熱指示を送らない。つまり、加熱部４０による加熱を開始させない。
【００２７】
また加熱制御部７６は、受信部７２が信号を受け取ったときは下限水位以上であった水位がその後に下限水位未満になった場合、ケーブル５５を介して加熱部４０に停止指示を送り、加熱部４０による加熱を停止させる。一方、加熱制御部７６は、受信部７２が信号を受け取ったときは下限水位未満であった水位がその後に下限水位以上になった場合、加熱部４０に加熱指示を送らない。この場合、引き続き加熱されていない水が吐出される。
【００２８】
また、加熱制御部７６は、受信部７２が信号を受け取らなくなると、加熱部４０に停止指示を送り、加熱部４０による加熱を停止させる。
【００２９】
以上のように構成された温水器１０を備える水栓システム１００の動作を説明する。
図４は、温水器１０を備える水栓システム１００の吐水開始時の動作を示すフローチャートである。使用者が吐水管１２の吐水口１２ａの下方の領域に手を差し出すと、人体検知センサ１６はこれを検知する（Ｓ１０）。水位情報取得部８０は、受信部７２が人体検知センサ１６から信号を受け取ると、水位センサ３６からの水位情報の取得を開始する（Ｓ１２）。開閉制御部７４は電磁弁３２に開弁指示を送り（Ｓ１４）、電磁弁３２は開弁する（Ｓ１６）。受信部７２が信号を受け取ったときであって電磁弁３２の開弁前（すなわち温水器１０の吐出開始前）に水位センサ３６によって検出される加熱部４０内の水位が下限水位以上の場合（Ｓ１８のＹ）、加熱制御部７６は加熱部４０に加熱指示を送る（Ｓ２０）。加熱部４０は、その内部を通る水の加熱を開始する（Ｓ２２）。すると、加熱部４０で加熱されて温められた水が温水器１０から吐水管１２に吐出され、吐水口１２ａから吐水される。水位センサ３６によって検出される加熱部４０内の水位が下限水位未満の場合（Ｓ１８のＮ）、Ｓ２０、Ｓ２２はスキップされる。つまり、加熱制御部７６は加熱部４０に加熱指示を送らず、加熱部４０は加熱を開始しない。この場合、温められていない水が温水器１０から吐水管１２に吐出され、吐水される。
【００３０】
図５は、温水器１０を備える水栓システム１００の吐水中の動作を示すフローチャートである。加熱部４０が水を加熱している場合において（Ｓ３０のＹ）、加熱部４０内の水位が下限水位未満になると（Ｓ３２のＹ）、加熱制御部７６は加熱部４０に停止指示を送り（Ｓ３４）、加熱部４０は加熱を停止する（Ｓ３６）。加熱部４０が水を加熱している場合において（Ｓ３０のＹ）、加熱部４０内の水位が下限水位以上の場合（Ｓ３２のＮ）、Ｓ３０に戻る。つまり、加熱制御部７６は、加熱部４０による加熱を継続させる。加熱部４０が水を加熱していない場合（Ｓ３０のＮ）、Ｓ３２〜Ｓ３６はスキップされる。したがってこの場合、加熱制御部７６は加熱部４０に指示は送らない。つまり、仮に受信部７２が信号を受け取ったとき（すなわち吐出開始前）は下限水位未満であった水位がその後（すなわち吐出中）に下限水位以上になっても、加熱制御部７６は加熱部４０に加熱指示を送らない。
【００３１】
図６は、温水器１０を備える水栓システム１００の吐水終了時の動作を示すフローチャートである。使用者が吐水管１２の吐水口１２ａの下方の領域から手を引っ込めると、人体検知センサ１６が使用者の手を検知していない状態になる（Ｓ４０）。加熱部４０が水を加熱している場合（Ｓ４２のＹ）、加熱制御部７６は、加熱部４０に停止指示を送り（Ｓ４４）、加熱部４０は加熱を停止する（Ｓ４６）。加熱部４０が水を加熱していない場合（Ｓ４２のＮ）、Ｓ４４、Ｓ４６はスキップされる。開閉制御部７４は、電磁弁３２に閉弁指示を送り（Ｓ４８）、電磁弁３２は閉弁する（Ｓ５０）。すると、温水器１０から吐水管１２に水が吐出されなくなり、吐水管１２からの吐水は止まる。
【００３２】
以上説明した実施の形態に係る温水器１０によると、加熱制御部７６は、加熱部４０の水位が受信部７２が信号を受け取ったときから下限水位以上であった場合は加熱部４０に加熱指示を送り、受信部７２が信号を受け取ったときは下限水位未満であった水位がその後に下限水位以上になった場合は加熱部４０に加熱指示を送らない。ここで、施工やメンテナンスの直後には、電磁弁３２を開閉すると、施工時やメンテナンス時に配管内に残った空気が温水器１０に流れ込み、加熱部４０内に空気や空気が混じった水が流れ込む。この場合、受信部７２が信号を受け取ったときは下限水位未満であった水位が下限水位以上になっても、電磁弁３２の開弁されて空気が流れ込んだことにより加熱部４０内の水位が上下動し、一時的に下限水位以上になった可能性もある。つまり、配管内に残っていた空気が抜けきっていない可能性がある。このような状態で加熱部４０による加熱を開始すると空焚きになる虞がある。これに対し、本実施の形態に係る温水器１０では、加熱制御部７６は、上述のように受信部７２が信号を受け取ったときは下限水位未満であった水位がその後に下限水位以上になった場合は加熱部４０に加熱指示を送らないため、加熱部４０の空焚きを抑止できる。
【００３３】
また、実施の形態に係る温水器１０によると、加熱中に、加熱部４０内の水位が下限水位未満になった場合、加熱部４０に停止指示を送る。ここで、例えば、配管内に残っていた空気が抜けきっていない状態で使用者が手を差し出したり手を引っ込めたりすると、本来的には加熱部４０内の水位が下限水位未満であるにもかかわらず、加熱部４０内の水位が上下動することによって、偶然、加熱水以上と判定されてしまうことがある。これに対し、本実施の形態に係る温水器１０では、加熱制御部７６は、上述のように加熱部４０内の水位が下限水位未満になった場合に、加熱部４０に停止指示を送る。これにより、加熱部４０による加熱が停止され、空焚きが抑止される。
【００３４】
（第２の実施の形態）
図７は、第２の実施の形態に係る温水器１１０を示す模式図である。温水器１１０は、入水管３０と、電磁弁３２と、流量調整部１３４と、水位センサ３６と、加熱部４０と、出水管４６と、制御部１５０と、流量センサ１３８と、を備える。
【００３５】
流量調整部１３４は、入水管３０に設けられる。流量調整部１３４は、減圧弁により構成され、入水管３０を流れる水の流量が目標流量Ｑ（Ｌ／ｍｉｎ）（例えば２（Ｌ／ｍｉｎ））となるよう調整する。これにより、入水管３０や加熱部４０を含む水路５２を流れて吐出部４６ａから吐出される水の流量、ひいては吐水管１２の吐水口１２ａから吐水される水の流量が調整される。なお、目標流量Ｑは、例えば流量調整部１３４の製造時に決まる値であってもよい。また例えば、流量調整部１３４は、目標流量Ｑを変えられる可変式の流量調整部であってもよい。この場合、温水器１０を施工する作業者が目標流量Ｑを設定しても、温水器１０を使用するユーザが目標流量Ｑを設定してもよい。
【００３６】
水路５２、特に入水管３０を水が流れる場合、すなわち流量調整部１３４を水が通過する場合、流量調整部１３４によって調整されて目標流量Ｑと略同一の流量の水が入水管３０を流れる。この場合、流量センサ１３８によって目標流量Ｑと略同一（誤差±Ａ％以内）の流量が測定される。一方、入水管３０を空気あるいは空気が混じった水が流れる場合、すなわち流量調整部１３４を空気あるいは空気が混じった水が通過する場合、空気と水の動粘度の差により、流量調整部１３４によって目標流量Ｑには調整されず、目標流量Ｑよりも大きい流量の空気あるいは空気が混じった水が入水管３０を流れる。この場合、流量センサ１３８によって目標流量Ｑよりも大きい流量が測定される。発明者が行った実験によると、入水管３０を空気が流れる場合、すなわち流量調整部１３４を空気が通過する場合、目標流量Ｑの約２倍（すなわち約２×Ｑ（Ｌ／ｍｉｎ））の空気が流れることが確認された。
【００３７】
流量センサ１３８は、入水管３０に設けられる。流量センサ１３８は、入水管３０を流れる水の流量、すなわち加熱部４０に流れ込む水の流量を測定する。流量センサ１３８は、例えば羽根車式の流量センサであり、水が流れたときの羽根車の回転数から流量を算出する。流量センサ１３８は、空気など、水以外の流体にも反応し、その流量を測定してしまう。したがって、流量センサ１３８が流体の流れを検知した場合（すなわちゼロより大きい流量を測定した場合）でも、水ではなく、空気あるいは空気が混じった水が入水管３０内を流れ、加熱部４０内に流れ込んでいることがある。
【００３８】
制御部１５０は、受信部７２と、水位情報取得部８０と、開閉制御部７４と、流量情報取得部１７８と、加熱制御部７６と、を含む。流量情報取得部１７８は、電磁弁３２の開弁後の所定のタイミング（例えば開閉制御部７４が電磁弁３２に開弁指示を送ってから０．１秒後）に、流量センサ１３８によって取得される流量に関する情報をケーブル１５６を介して取得する。
【００３９】
加熱制御部７６は、第１の実施の形態と同様に水位情報取得部８０が水位情報を取得するたびに、加熱部４０内の水位が下限水位以上であるか否かを判定する。また、加熱制御部７６は、流量情報取得部７８が取得した流量が後述のように設定される閾値ＴＨｈ（Ｌ／ｍｉｎ）よりも小さいか否かを判定する。
【００４０】
加熱制御部７６は、受信部７２が信号を受け取ったとき（すなわち水位情報取得部８０が水位情報の取得を開始したときであって電磁弁３２が開弁する前）の加熱部４０内の水位が下限水位以上で、かつ、電磁弁３２の開弁後の流量が閾値ＴＨｈよりも小さい場合、加熱部４０に加熱指示を送り、加熱部４０による加熱を開始させる。一方、加熱制御部７６は、「加熱部４０内の水位が下限水位未満の場合」または「流量が閾値ＴＨｈ以上の場合」の少なくとも一方が成立する場合、加熱部４０に加熱指示を送らない。つまり、加熱部４０による加熱を開始させない。
【００４１】
ここで、閾値ＴＨｈが目標流量Ｑと同一または目標流量Ｑよりも小さいと、水路５２を水が流れているにもかかわらず加熱部４０に加熱指示が送られず、水が加熱されない場合がある。また、閾値ＴＨｈが目標流量Ｑの２倍よりも大きいと、水路５２を空気が流れているにもかかわらず加熱部４０に加熱指示が送られ、空焚きが発生する場合がある。そこで、本実施の形態では、閾値ＴＨｈは、少なくとも以下の式１を満たすよう設定される。
Ｑ＜ＴＨｈ＜２×Ｑ            …（式１）
つまり、閾値ＴＨｈは、流量センサ１３８の目標流量Ｑよりも大きく、流量センサ１３８の目標流量Ｑの２倍よりも小さい流量に設定される。
なお、閾値ＴＨｈは、以下の式２を満たすよう設定されてもよい。
Ｑ＜ＴＨｈ＜３／２×Ｑ            …（式２）
つまり、閾値ＴＨｈは、流量センサ１３８の目標流量Ｑの２倍よりも、流量センサ１３８の目標流量Ｑに近い値に設定されてもよい。この場合、より確実に空焚きを抑止できる。
【００４２】
また、加熱制御部７６は、受信部７２が信号を受け取らなくなると、加熱部４０に停止指示を送り、加熱部４０による加熱を停止させる。
【００４３】
以上のように構成された温水器１１０を備える水栓システムの吐水開始時の動作を説明する。図８は、温水器１１０を備える吐水システムの吐水開始時の動作を示すフローチャートである。図８は、図４に対応する。Ｓ１１０〜Ｓ１１６は、図４のＳ１０〜Ｓ１６と同様であるため、説明は省略する。水位センサ３６によって検出される加熱部４０内の水位が下限水位以上で（Ｓ１１８のＹ）、かつ、流量センサ１３８によって取得される流量が閾値ＴＨｈより小さい場合（Ｓ１２０のＹ）、加熱制御部７６は加熱部４０に加熱指示を送る（Ｓ１２２）。加熱部４０は、その内部を通る水の加熱を開始する（Ｓ１２４）。すると、加熱部４０で加熱されて温められた水が温水器１０から吐水管１２に吐出され、吐水口１２ａから吐水される。水位センサ３６によって検出される加熱部４０内の水位が下限水位未満の場合（Ｓ１１８のＮ）、または流量センサ１３８によって取得される流量が閾値ＴＨｈ以上である場合（Ｓ１２０のＮ）、Ｓ１２２、Ｓ１２４はスキップされる。つまり、加熱制御部７６は加熱部４０に加熱指示を送らず、加熱部４０は加熱を開始しない。この場合、温められていない水が温水器１０から吐水管１２に吐出され、吐水される。
【００４４】
本実施の形態に係る温水器１１０によると、第１の実施の形態に係る温水器１０によって奏される作用効果と同様の作用効果が奏される。加えて、本実施の形態に係る温水器１１０によると、閾値ＴＨｈは流量センサ１３８の目標流量Ｑよりも大きい値に設定され、その閾値ＴＨｈ以上の流量が流量センサ１３８によって取得された場合、制御部５０は加熱部４０に加熱指示を送らない。したがって、加熱部４０による加熱は開始されない。目標流量Ｑよりも大きい流量が流量センサ１３８によって取得された場合は入水管３０や加熱部４０を空気あるいは空気が混じった水が流れている可能性が高いところ、加熱部４０による加熱が開始されないため、空焚きがさらに抑止される。
【００４５】
また、実施の形態に係る温水器１１０によると、閾値ＴＨｈは流量センサ１３８の目標流量Ｑの２倍よりも小さい値に設定される。このとき、流量センサ１３８によって取得された流量が２×Ｑ以上である場合、流量は閾値ＴＨｈ以上になるため、制御部５０は加熱部４０に加熱指示を送らない。したがって、加熱部４０による加熱は開始されない。流量センサ１３８によって取得された流量が２×Ｑである場合は加熱部４０を空気が流れている可能性が高いところ、上述のように閾値ＴＨｈが２×Ｑよりも小さい値に設定されることにより、空焚きがさらに一層抑止される。
【００４６】
以上、実施の形態に係る水栓システムについて説明した。この実施の形態は例示であり、その各構成要素の組み合わせにいろいろな変形例が可能なこと、またそうした変形例も本発明の範囲にあることは当業者に理解されるところである。
【００４７】
（変形例１）
第１、２実施の形態では、受信部７２が信号（すなわち吐出開始の指示）を受け取ったときは下限水位未満であった水位がその後に下限水位以上になっても、加熱制御部７６は加熱部４０に加熱指示を送らない場合について説明したが、これに限られない。例えば、加熱制御部７６は、受信部７２が信号を受け取ったときは下限水位未満であった水位がその後に下限水位以上になり、下限水位以上の状態が第１の時間（例えば１０秒）以上継続した場合、加熱部４０に加熱指示を送ってもよい。ここで、施工やメンテナンスの直後には、電磁弁３２を開閉すると、施工時やメンテナンス時に配管内に残った空気が温水器１０に流れ込み、加熱部４０内に空気や空気が混じった水が流れ込む。したがって第１の時間は、そのような空気が温水器１０から抜けるのに十分な時間以上に設定されればよい。
【００４８】
（変形例２）
第１の実施の形態では、水栓システム１００が、手を差し出したり引っ込めたりする使用者の手動操作を非接触で検知する人体検知センサ１６を備える場合について説明したが、これに限られない。水栓システム１００は、接触、非接触を問わず、水位情報取得部８０による水位情報の取得を開始したり開閉制御部７４が電磁弁３２に開弁指示を送ったりするための契機となる使用者の手動操作を検知できればよい。したがって、水栓システム１００は、人体検知センサ１６の代わりに、または人体検知センサ１６に加えて、例えば押しボタン式の吐水スイッチなどの接触式の操作部を備えていてもよい。この場合、吐水スイッチは、吐水スイッチを押下する手動操作を検知したときに、ケーブル１８を経由して制御部５０に信号を送ればよい。制御部５０は、この信号に基づいて加熱部４０を制御すればよい。この場合、制御部が吐水スイッチから受け取る信号が吐出開始の指示であるといえる。
【００４９】
また例えば、水栓システム１００は、人体検知センサ１６の代わりに、または人体検知センサ１６に加えて、電磁弁３２を開弁または閉弁させるハンドルレバーを備えていてもよい。この場合、水栓システム１００は、水路５２を流れる水の流量を測定する流量センサをさらに備える。ユーザがハンドルレバーを操作して電磁弁３２が開弁すると、流量センサは、水路を流れる水の流量を測定し、測定した流量に関する情報を制御部に送る。制御部は、その情報に基づいて加熱部４０を制御すればよい。この場合、制御部が流量センサから受け取る情報が吐出開始の指示であるといえる。なお、水栓システム１００は、電磁弁３２の代わりに機械的な弁を備えていてもよい。ハンドルレバーはこの機械的な弁を開弁または閉弁させてもよい。
【００５０】
（変形例３）
第２の実施の形態では特に言及しなかったが、流量調整部１３４（すなわち減圧弁）によって調整される流量には、流量調整部１３４の製造誤差に基づく誤差が生じうる。この誤差を考慮して閾値ＴＨｈを設定してもよい。具体的には、流量調整部１３４の公称のマイナス誤差がＥ１（Ｌ／ｍｉｎ）で、流量調整部１３４の公称のプラス誤差がＥ２（Ｌ／ｍｉｎ）の場合、少なくとも以下の式３を満たすよう設定される。
（Ｑ＋Ｅ２）＜ＴＨｈ＜（２×（Ｑ−Ｅ１））            …（式３）
【００５１】
例えば流量調整部１３４が公称値で±１０％の誤差が生じうる流量調整部である場合、流量調整部１３４の目標流量Ｑが２（Ｌ／ｍｉｎ）のとき、流量調整部１３４によって調整される流量には±０．２（Ｌ／ｍｉｎ）の誤差が生じる。つまり、流量調整部１３４の目標流量Ｑが２（Ｌ／ｍｉｎ）のときのプラス誤差Ｅ２およびマイナス誤差Ｅ１はいずれも０．２（Ｌ／ｍｉｎ）であり、１．８〜２．２（Ｌ／ｍｉｎ）の水が水路５２を流れる。この場合、（２＋０．２）＜ＴＨｈ＜（２×（２−０．２））を満たすよう閾値ＴＨｈが設定される。
【００５２】
（変形例４）
第２の実施の形態では特に言及しなかったが、水路５２を流れる水の流量が小さすぎると、水路５２を流れる水の速度が遅くなり、水が加熱部４０内を通過するのに要する時間が比較的長くなり、水が過加熱される。この場合、温水器１０を使用する使用者が不快な思いをする虞がある。そのため、流量センサ１３８によって測定される流量が閾値ＴＨｈ以上であるときに加え、流量センサ１３８によって測定される流量が閾値ＴＨｌ（Ｌ／ｍｉｎ）（＜Ｑ＜ＴＨｈ）以下であるときにも、加熱制御部７６が加熱部４０に加熱指示を送らないよう構成してもよい。言い換えると、流量センサ１３８によって測定される流量がＴＨｌより大きくかつＴＨｈより小さい場合、加熱制御部７６が加熱部４０に加熱指示を送るよう構成してもよい。この場合、使用者が不快な思いをする恐れがある。本変形例によれば、水が過加熱されて使用者が不快な思いをするのが抑止される。
【００５３】
（変形例５）
第２の実施の形態では特に言及しなかったが、すでに加熱部４０による加熱が開始されているときに流量センサ１３８によって測定される流量が閾値ＴＨｈ以上になった場合、すなわち、はじめは流量が閾値ＴＨｈよりも小さかったものの途中から流量が閾値ＴＨｈ以上になった場合、加熱制御部７６は加熱部４０に停止指示を送ってもよい。この場合は、加熱部４０は、吐水中にもかかわらず、加熱を停止する。あるいはまた、加熱制御部７６は、ヒータ４０ａによる加熱の出力を下げるよう加熱部４０に指示してもよい。つまり、加熱部による加熱を停止せずに、その出力を下げるだけでもよい。
【００５４】
（変形例６）
第２の実施の形態において、温水器１０は、タッチパネル式の表示部を有する操作部をさらに備えてもよい。また、制御部１５０は、閾値ＴＨｈの入力を受け付けるさらに入力受付部を含んでもよい。この場合、例えば温水器１０を施工・メンテナンスする作業者が、操作部を介して閾値ＴＨｈを入力し、入力受付部がこれを受け付ける。加熱制御部７６は、入力受付部が受け付けた閾値ＴＨｈに基づいて、加熱部４０に加熱指示を送るか否かを判断する。
【００５５】
（変形例７）
第２の実施の形態では、温水器１０が流量調整部１３４を備える場合について説明したが、これに限られず、温水器１０は流量調整部１３４を備えていなくてもよい。この場合、水路５２を流れる水の流量は、止水栓を経由して温水器１０に供給される水（すなわち水道水）の圧力によって決まる。閾値ＴＨｈは、その圧力によって決まる流量よりも大きい値に設定される。これにより、流量センサ１３８によって測定される流量が水道水の圧力によって決まる流量よりも大きく、空気あるいは空気が混じった水が入水管３０を流れて加熱部４０に流れ込んでいると想定される場合、加熱制御部７６は加熱部４０に加熱指示を送らず、加熱部による加熱熱が開始されないことになる。すでに加熱部４０による加熱が開始されている場合は、加熱制御部７６は、加熱部４０に停止指示を送ってもよく、あるいはヒータ４０ａによる加熱の出力を下げるよう加熱部４０に指示してもよい。
【００５６】
（変形例８）
第１、２の実施の形態では、温水器を水栓システムに用いる場合について説明したが、これに限られない。温水器は、温水洗浄便座やその他の装置・システムにも用いることができる。
【符号の説明】
【００５７】
１０  温水器、  １２  吐水管、  １４  洗面器、  １６  人体検知センサ、  ３２  電磁弁、  ３６  水位センサ、  ４０  加熱部、  ５０  制御部、  ７６  加熱制御部、  ８０  水位情報取得部、  １００  水栓システム。
【図１】
0006615483.tif 000002
【図２】
0006615483.tif 000003
【図３】
0006615483.tif 000004
【図４】
0006615483.tif 000005
【図５】
0006615483.tif 000006
【図６】
0006615483.tif 000007
【図７】
0006615483.tif 000008
【図８】
0006615483.tif 000009